【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
被検体から音響波を発生させる光を前記被検体に対して照射する光照射部と、
前記音響波を受信する音響波探触子と、
前記光を遮光する遮光容器と、前記遮光容器に取り付けられ前記音響波を伝搬し前記光を透過する透過部材と、を有し、前記光照射部および前記音響波探触子を収納する筐体と、
前記筐体の内部に配置され、前記光照射部および前記音響波探触子を前記筐体に対して相対移動させる走査機構と、
を有することを特徴とする、音響波受信装置。
【請求項２】
前記遮光容器は、一部が開口されており、
前記透過部材は、前記開口と重なる位置において前記遮光容器に液密に取り付けられている
ことを特徴とする、請求項１に記載の音響波受信装置。
【請求項３】
前記走査機構は、前記光照射部と前記音響波探触子とを一体的に走査する
ことを特徴とする、請求項１または２に記載の音響波受信装置。
【請求項４】
前記筐体内に、前記透過部材と前記音響波探触子との間の音響インピーダンスを整合させるための音響整合液が密封されている
ことを特徴とする、請求項１から３のいずれか１項に記載の音響波受信装置。
【請求項５】
前記光照射部と前記音響波探触子とを撮影エリア外に退避可能なように、前記走査機構が前記光照射部と前記音響波探触子とを支持している
ことを特徴とする、請求項１から４のいずれか１項に記載の音響波受信装置。
【請求項６】
被検体に対して光を照射する光照射部と、
前記被検体からの音響波を受信する受信部と、
前記光照射部、前記受信部および音響整合液を収納する筐体と、
前記光照射部および前記受信部を前記筐体に対して相対移動させる走査機構と、
を備える音響波受信装置であって、
前記筐体は、前記光を遮光する遮光部と、前記音響波を伝搬し前記光を透過する透過部材と、を有する
ことを特徴とする、音響波受信装置。
【請求項７】
前記筐体は、前記透過部材を介して前記受信部が前記音響波を受信可能なように、前記音響整合液を収納している
ことを特徴とする、請求項６に記載の音響波受信装置。
【請求項８】
前記受信部が前記透過部材を介して前記被検体からの前記音響波を受信可能なように、前記音響整合液が前記透過部材と前記受信部との間に位置している
ことを特徴とする、請求項７に記載の音響波受信装置。
【請求項９】
前記透過部材は、前記遮光部に液密に接続されている
ことを特徴とする、請求項６から８のいずれか１項に記載の音響波受信装置。
【請求項１０】
前記遮光部は一部に開口が設けられ、前記透過部材は前記開口と重なる位置において前記遮光部に取り付けられている
ことを特徴とする、請求項６から９のいずれか１項に記載の音響波受信装置。
【請求項１１】
前記透過部材を介して前記被検体を撮影するカメラをさらに有し、前記カメラは、前記筐体の内部に配置されている
ことを特徴とする、請求項１から１０のいずれか１項に記載の音響波受信装置。
【請求項１２】
前記カメラは、前記透過部材と前記被検体とが接触する部分の全域を撮影できるように、前記透過部材に対して前記走査機構よりも離間する位置に配置されている
ことを特徴とする、請求項１１に記載の音響波受信装置。
【請求項１３】
前記カメラが撮影した画像を表示するモニタをさらに有する
ことを特徴とする、請求項１１または１２に記載の音響波受信装置。
【請求項１４】
光学的透過性に関して相違する第一の領域と第二の領域とを有し音響整合液を収納する筐体と、
前記筐体に収納され、前記第二の領域を介して被検体に光を照射し、前記被検体から音響波を発生させる光照射部と、
前記筐体に収納され、前記被検体から前記第二の領域を介して伝搬する前記音響波を受信する受信部と、
前記光照射部および前記受信部を前記筐体に対して相対移動させる走査機構と、
を備える音響波受信装置であって、
前記第二の領域は、前記第一の領域より高い光学的透過性を有する
ことを特徴とする、音響波受信装置。
【請求項１５】
前記筐体は、前記受信部が前記第二の領域を介して前記音響波を受信可能なように前記音響整合液を収納している
ことを特徴とする、請求項１４に記載の音響波受信装置。
【請求項１６】
前記受信部が前記第二の領域を介して前記被検体からの前記音響波を受信可能なように、前記音響整合液が前記第二の領域と前記受信部との間に位置している
ことを特徴とする、請求項１５に記載の音響波受信装置。
【請求項１７】
前記第二の領域は、前記第一の領域に液密に接続されている
ことを特徴とする、請求項１４から１６のいずれか１項に記載の音響波受信装置。
【請求項１８】
前記第一の領域は一部に開口が設けられ、前記第二の領域は前記開口と重なる位置において前記第一の領域に取り付けられている
ことを特徴とする、請求項１４から１７のいずれか１項に記載の音響波受信装置。
【請求項１９】
前記光照射部および前記受信部が一体的に走査されるように、前記光照射部および前記受信部が前記走査機構に支持されている
ことを特徴とする、請求項６から１０，１４から１８のいずれか１項に記載の音響波受信装置。
【請求項２０】
前記走査機構は、前記筐体の内部に配置されている
ことを特徴とする、請求項１から１９のいずれか１項に記載の音響波受信装置。
【請求項２１】
被検者を載置する被検者載置部をさらに有し、
前記筐体は、支持機構により前記被検者載置部に対して移動可能である
ことを特徴とする、請求項１から２０のいずれか１項に記載の音響波受信装置。
【請求項２２】
前記支持機構は、前記筐体を支持するアームと被検体に対する前記筐体の姿勢を変更する機構と、を有している
ことを特徴とする請求項２１に記載の音響波受信装置。
【請求項２３】
前記支持機構は、前記被検体に対する前記筐体の位置を変更可能に構成される
ことを特徴とする、請求項２１に記載の音響波受信装置。
【請求項２４】
前記光照射部が照射する前記光は、パルス光である
ことを特徴とする、請求項１から２３のいずれか１項に記載の音響波受信装置。
【請求項２５】
前記音響整合液の温度を調整する温度調整手段をさらに有する
ことを特徴とする、請求項４，６から１０，１４から１９のいずれか１項に記載の音響波受信装置。
【請求項２６】
前記光照射部に光学的に結合される光源と、
前記光源と前記光照射部とを光学的に結合する導光手段と、
をさらに有する
ことを特徴とする、請求項１から２５のいずれか１項に記載の音響波受信装置。 
【請求項２７】
前記光源は、前記筐体の外部に配置されており、
前記導光手段は、前記光源が発生した光を前記筐体まで導光する光ファイバと、前記筐体の内部において前記光ファイバにより導光された光を前記光照射部まで導光するミラーもしくはプリズムと、を備える
ことを特徴とする、請求項２６に記載の音響波受信装置。
【請求項２８】
前記光照射部が照射する前記光は、近赤外光である
ことを特徴とする、請求項１から２７のいずれか１項に記載の音響波受信装置。 
【請求項２９】
前記近赤外光は、波長が４００ｎｍ以上１６００ｎｍ以下の光である
ことを特徴とする、請求項２８に記載の音響波受信装置。
【手続補正２】
【補正対象書類名】明細書
【補正対象項目名】０００７
【補正方法】変更
【補正の内容】
【０００７】
上記課題を解決するために、本発明に係る音響波受信装置は、
被検体から音響波を発生させる光を前記被検体に対して照射する光照射部と、前記音響波を受信する音響波探触子と、前記光を遮光する遮光容器と、前記遮光容器に取り付けられ前記音響波を伝搬し前記光を透過する透過部材と、を有し、前記光照射部および前記音響波探触子を収納する筐体と、前記筐体の内部に配置され、前記光照射部および前記音響波探触子を前記筐体に対して相対移動させる走査機構と、を有することを特徴とする。
また、本発明の別形態に係る音響波受信装置は、
被検体に対して光を照射する光照射部と、前記被検体からの音響波を受信する受信部と、
前記光照射部、前記受信部および音響整合液を収納する筐体と、前記光照射部および前記受信部を前記筐体に対して相対移動させる走査機構と、を備える音響波受信装置であって、前記筐体は、前記光を遮光する遮光部と、前記音響波を伝搬し前記光を透過する透過部材と、を有することを特徴とする。
また、本発明の他の別形態に係る音響波受信装置は、
光学的透過性に関して相違する第一の領域と第二の領域とを有し音響整合液を収納する筐体と、前記筐体に収納され、前記第二の領域を介して被検体に光を照射し、前記被検体から音響波を発生させる光照射部と、前記筐体に収納され、前記被検体から前記第二の領域を介して伝搬する前記音響波を受信する受信部と、前記光照射部および前記受信部を前記筐体に対して相対移動させる走査機構と、を備える音響波受信装置であって、前記第二の領域は、前記第一の領域より高い光学的透過性を有することを特徴とする。
【手続補正３】
【補正対象書類名】明細書
【補正対象項目名】発明の名称
【補正方法】変更
【補正の内容】
【発明の名称】音響波受信装置